(57)【要約】【課題】インストルメントパネルにダクト部材を接合して該インストルメントパネルの裏面側に空調用のダクトを形成する構成において、インストルメントパネルにおけるダクト形成部位の剛性を確保しやすいインストルメントパネル構造を得る。【解決手段】インストルメントパネル構造１０は、インストルメントパネル１２と、インストルメントパネル１２の裏面１２Ａに開口側のフランジ部３４が接合されることで該インストルメントパネル１２との間に空調用ダクト１４を形成するダクト部材１６と、空調用ダクト１４の長手方向に延在して該空調用ダクト１４をダクト幅方向に並ぶ複数の部分に区画する仕切部３６とを備えている。仕切部３６は、インストルメントパネル１２の裏面１２Ａ及びダクト部材１６の底部３２Ａの少なくとも一方から他方に向けて突出されると共に該他方に接合されて、インストルメントパネル１２を空調用ダクト１４内から支持している。【選択図】図１
2011093499.tif 000002
【特許請求の範囲】
【請求項１】
インストルメントパネルと、
前記インストルメントパネルの裏面側に開口側が接合されることで、該インストルメントパネルとの間に、空調空気を特定の吹き出し口に導くダクトを形成するダクト部材と、
前記インストルメントパネル及び前記ダクト部材の底部の少なくとも一方から他方に向けて突出されると共に該他方に接合されて、前記ダクトの長手方向に沿って延在して該ダクトを長手方向との直交方向に並ぶ複数の部分に区画する仕切部と、
を備えたインストルメントパネル構造。
【請求項２】
前記仕切部は、前記ダクト部材の基材と共に真空成形によって一体に形成された部分を含む請求項１記載のインストルメントパネル構造。
【請求項３】
前記インストルメントパネルの裏面側に波形板の頂部を接合し、該波形板とインストルメントパネルとの間に形成された空間の少なくとも一部を前記ダクトとした請求項１又は請求項２記載のインストルメントパネル構造。
【発明の詳細な説明】
【技術分野】
【０００１】
本発明は、内側に空調用のダクトが設けられたインストルメントパネル構造に関する。
【背景技術】
【０００２】
インストルメントパネルの裏面側に断面ハット形状のダクト基材を接合することで、該インストルメントパネルの裏面側に空調用ダクトを形成する技術が知られている（例えば、特許文献１、２参照）。
【先行技術文献】
【特許文献】
【０００３】
【特許文献１】特開平８−０８０７６２号公報
【特許文献２】特開２００４−２９１７４５号公報
【発明の概要】
【発明が解決しようとする課題】
【０００４】
しかしながら、上記した各技術では、インストルメントパネルにおける空調用ダクトが形成された部分の剛性は該インストルメントパネルの板厚により確保することとなり、この点に改善の余地がある。
【０００５】
本発明は、インストルメントパネルにダクト部材を接合して該インストルメントパネルの裏面側に空調用のダクトを形成する構成において、インストルメントパネルにおけるダクト形成部位の剛性を確保しやすいインストルメントパネル構造を得ることが目的である。
【課題を解決するための手段】
【０００６】
請求項１記載の発明に係るインストルメントパネル構造は、インストルメントパネルと、前記インストルメントパネルの裏面側に開口側が接合されることで、該インストルメントパネルとの間に、空調空気を特定の吹き出し口に導くダクトを形成するダクト部材と、前記インストルメントパネル及び前記ダクト部材の底部の少なくとも一方から他方に向けて突出されると共に該他方に接合されて、前記ダクトの長手方向に沿って延在して該ダクトを長手方向との直交方向に並ぶ複数の部分に区画する仕切部と、を備えている。
【０００７】
請求項１記載のインストルメントパネル構造では、インストルメントパネルとダクト部材との間に形成されたダクトを空調空気が流れ、この空調空気は特定の吹き出し口に導かれる。このダクトは、仕切部にて長手方向と直交する方向（ダクト幅方向）に並ぶ複数の部分に区画されている。このようにダクトを区画する仕切部がインストルメントパネル及びダクト部材の少なく一方から突出されると共に他方に接合されるため、換言すれば、仕切部によってインストルメントパネルにおけるダクトを跨ぐ部分を該ダクト内から支持するため、インストルメントパネルは、その表面側からの荷重に対し仕切部によって補強される（支持点が増す）。すなわち、インストルメントパネルは、その板厚に頼ることなく表面側からの荷重に対する剛性が確保されやすい。
【０００８】
このように、請求項１記載のインストルメントパネル構造では、インストルメントパネルにダクト部材を接合して該インストルメントパネルの裏面側に空調用のダクトを形成する構成において、インストルメントパネルにおけるダクト形成部位の剛性を確保しやすい。
【０００９】
請求項２記載の発明に係るインストルメントパネル構造は、請求項１記載のインストルメントパネル構造において、前記仕切部は、前記ダクト部材の基材と共に真空成形によって一体に形成された部分を含む。
【００１０】
請求項２記載のインストルメントパネル構造では、仕切部の少なくとも一部が真空成形にてダクト部材と共に形成されるので、仕切部を、簡単にかつ軽量に構成することができる。
【００１１】
請求項３記載の発明に係るインストルメントパネル構造は、請求項１又は請求項２記載のインストルメントパネル構造において、前記インストルメントパネルの裏面側に波形板の頂部を接合し、該波形板とインストルメントパネルとの間に形成された空間の少なくとも一部を前記ダクトとした。
【００１２】
請求項３記載のインストルメントパネル構造では、頂部においてインストルメントパネルに接合された波形板は、少なくとも一部がダクト部材及び仕切部とされ、インストルメントパネルとの間に複数の空間を形成する。この複数の空間のうち少なくとも一部が空調空気を特定の吹き出し口に導くダクトとされる。すなわち、本インストルメントパネル構造では、例えば既成形品（規格品や汎用品）である波型板をインストルメントパネルの裏面側に接合することで、形成された複数の空間の少なくとも一部を空調用のダクトとして用いることができる。
【発明の効果】
【００１３】
以上説明したように本発明に係るインストルメントパネル構造は、インストルメントパネルにダクト部材を接合して該インストルメントパネルの裏面側に空調用のダクトを形成する構成において、インストルメントパネルにおけるダクト形成部位の剛性を確保しやすいという優れた効果を有する。
【図面の簡単な説明】
【００１４】
【図１】本発明の第１の実施形態に係るインストルメントパネル構造を示す側断面図である。
【図２】本発明の第１の実施形態に係るインストルメントパネル構造を示す分解斜視図である。
【図３】本発明の第２の実施形態に係るインストルメントパネル構造を示す図１に対応する側断面図である。
【図４】本発明の第３の実施形態に係るインストルメントパネル構造を示す図１に対応する側断面図である。
【図５】本発明の第４の実施形態に係るインストルメントパネル構造を示す側断面図である。
【図６】本発明の第５の実施形態に係るインストルメントパネル構造を示す側断面図である。
【図７】本発明の第５の実施形態に係るインストルメントパネル構造を構成する補強用波形板を示す斜視図である。
【発明を実施するための形態】
【００１５】
本発明の第１の実施形態に係るインストルメントパネル構造１０について、図１〜図２に基づいて説明する。なお、各図に適宜記す矢印ＦＲ、矢印ＵＰ、矢印Ｗは、それぞれインストルメントパネル構造１０が適用された自動車の前方向（進行方向）、上方向、車幅方向を示している。
【００１６】
図２には、インストルメントパネル構造１０の概略構成（部品）が分解斜視図にて示されている。この図に示される如く、インストルメントパネル構造１０は、インストルメントパネル１２と、該インストルメントパネル１２との間に空調用ダクト１４を形成するダクト部材１６とを主要部として構成されている。
【００１７】
インストルメントパネル１２は、車幅方向に長手とされ、車室の前端で図示しないエアコンユニットを含む各種部品などを覆っている。このインストルメントパネル１２には、車室に空調空気を吹き出すためのセンタレジスタ１８、サイドレジスタ２０、デフロスタ２２を含む複数の空調空気の吹き出し口が設けられている。
【００１８】
ダクト部材１６は、インストルメントパネル１２の裏面（下面）との間に、センタレジスタ１８に空調空気を導くセンタダクト２４と、サイドレジスタ２０に空調空気を導くサイドダクト２６と、デフロスタ２２に空調空気を導くデフダクト２８とを含む複数の空調用ダクト１４を形成するようになっている。すなわち、ダクト部材１６は、それぞれ特定の吹き出し口であるセンタレジスタ１８、サイドレジスタ２０、デフロスタ２２に空調空気を導くセンタダクト２４、サイドダクト２６、デフダクト２８を形成するための部分の集合体として捉えることができる。
【００１９】
具体的には、ダクト部材１６におけるセンタダクト２４、サイドダクト２６、デフダクト２８を成す部分は、それぞれインストルメントパネル１２の裏面側に開口する単位ダクト形成部材３０が一体に形成されたものとして捉えることができる。各単位ダクト形成部材３０は、それぞれ長手（空調空気の流れ）方向に直交する断面視で略ハット形状（この実施形態では、後述する如くフランジ付「Ｗ」形状）を成している。すなわち、各単位ダクト形成部材３０は、ダクト形成部３２の開口端から上記長手方向との交差方向（ダクト幅方向）の両側に張り出されたフランジ部３４を有しており、フランジ部３４において隣り合う単位ダクト形成部材３０が一体化されている。
【００２０】
そして、インストルメントパネル構造１０では、ダクト部材１６の各フランジ部３４がインストルメントパネル１２の裏面１２Ａに接合されることで、該インストルメントパネル１２とダクト部材１６のダクト形成部３２との間に閉断面構造の各空調用ダクト１４（センタダクト２４、サイドダクト２６、デフダクト２８）が形成されている。なお、インストルメントパネル１２の裏面１２Ａとフランジ部３４との間には、断熱材やシール材などを挟み込むようにしても良い。
【００２１】
図示は省略するが、ダクト部材１６におけるセンタダクト２４とサイドダクト２６とデフダクト２８との集合部分である略中央部には、その下方に配置されたエアコンユニットから空調空気が供給されるようになっている。また、この空調空気の供給部には、空調空気の吹き出し口を切り替えるためのダンパ装置が設けられている。これにより、エアコンユニットからの空調空気は、制御装置としてのエアコンＥＣＵにより自動的に、又はユーザの操作により、センタレジスタ１８、サイドレジスタ２０、デフロスタ２２を含む複数の吹き出し口のうち所要の吹き出し口から車室側に吹き出されるようになっている。
【００２２】
そして、インストルメントパネル構造１０は、センタダクト２４、サイドダクト２６、デフダクト２８の少なくとも一部を、それぞれの長手方向に直交するダクト幅方向に並ぶ複数（この実施形態では２つ）の部分に区画（分割）する仕切部３６を備えている。この実施形態では、センタダクト２４、サイドダクト２６、デフダクト２８のそれぞれが仕切部３６にて上記の通り区画されている。以下、サイドダクト２６、デフダクト２８を示す側断面図である図１に従い説明する。センタダクト２４については、その長手方向及び後述するコーナ部を有しない点を除きサイドダクト２６、デフダクト２８と同様に構成されるので、説明は省略する。
【００２３】
図２には、サイドダクト２６、デフダクト２８の長手方向（車幅方向）に直交する断面が側断面図にて示されている。この図に示される如く、インストルメントパネル構造１０では、仕切部３６は、ダクト部材１６を構成するダクト形成部３２の底部３２Ａからインストルメントパネル１２の裏面１２Ａに向けて突出されると共に、突出端部３６Ａにおいて該インストルメントパネル１２の裏面１２Ａに接合されて構成されている。
【００２４】
ここで、ダクト部材１６について補足すると、ダクト部材１６は、樹脂フィルム（シート）の真空成形によって構成されており、仕切部３６は、その基材がダクト部材１６の基材（フィルム）と共に真空成形されることで、ダクト部材１６に一体に形成されている。このように仕切部３６を含むダクト部材１６は薄肉樹脂材より成るので、この仕切部３６は、中実のリブではなく、底部３２Ａのインストルメントパネル１２側への膨出部（インストルメントパネル１２とは反対側に開口する凹部）として形成されている。したがって、この実施形態における各単位ダクト形成部材３０は、少なくとも仕切部３６が形成された部分において断面視でフランジ付「Ｗ」形状を成しているものと捉えることができる。
【００２５】
以上説明した仕切部３６は、センタダクト２４、サイドダクト２６、デフダクト２８の長手方向両端（空調空気の供給口と吹き出し口）近傍を除く略全範囲に亘り、これらセンタダクト２４、サイドダクト２６、デフダクト２８の長手方向に沿って形成されている。なお、デフダクト２８は、それぞれの車幅方向中央側の端部から空調空気が供給されるように左右に分割されたものと捉えるものとする。このように、センタダクト２４、サイドダクト２６、デフダクト２８は、それぞれの長手方向の両端において仕切部３６にて区画された部分が連通されており、これら複数の区画部分がそれぞれ空調用ダクト１４として機能する構成である。
【００２６】
また、この実施形態では、左右のサイドダクト２６における車幅方向の外端部が車両後方に向けて湾曲（屈曲）されており、該湾曲部であるコーナ部２６Ａにも仕切部３６が形成されている。換言すれば、サイドダクト２６の仕切部３６は、車幅方向の外側部分が車両後方に湾曲（屈曲）されている。
【００２７】
一方、インストルメントパネル１２は、樹脂材の射出成形により形成されている。共に樹脂材より成るインストルメントパネル１２とダクト部材１６とは、その裏面１２Ａとフランジ部３４及び突出端部３６Ａとにおいて、振動溶着等にて接合されている。
【００２８】
次に、第１の実施形態の作用を説明する。
【００２９】
上記構成のインストルメントパネル構造１０では、エアコンユニットから供給された空調空気は、空調用ダクト１４（センタダクト２４、サイドダクト２６、デフダクト２８の少なくとも一部）を通過して、通過したダクトに対応する吹き出し口（センタレジスタ１８、サイドレジスタ２０、デフロスタ２２）から車室内に吹き出される。
【００３０】
この空調用ダクト１４はインストルメントパネル１２とダクト部材１６とを接合して構成されているので、換言すれば、空調用ダクト１４のダクト壁の一部がインストルメントパネル１２であるため、インストルメントパネル１２とは独立した部材にて空調用ダクトを形成する比較例と比較して、該空調用ダクト１４を軽量に構成することができる。しかも、ダクト部材１６が樹脂フィルムの真空成形品であるため、一層の軽量化が図られる。
【００３１】
そして、インストルメントパネル構造１０では、ダクト１４を構成する各センタダクト２４、サイドダクト２６、デフダクト２８のそれぞれをダクト幅方向に並ぶ複数の部分に区画する仕切部３６が、ダクト形成部３２の底部３２Ａとインストルメントパネル１２とを連結している。換言すれば、仕切部３６がインストルメントパネル１２におけるダクト形成部３２の開口部をダクト幅方向に跨ぐ部分を、該インストルメントパネル１２の裏面１２Ａ側から厚み方向に支持している。このため、インストルメントパネル１２におけるセンタダクト２４、サイドダクト２６、デフダクト２８の形成部位が、図１に示される如き表面１２Ｂ側からの荷重Ｆ（ユーザの手による押し荷重など）に対し、仕切部３６よって補強されている。
【００３２】
これにより、インストルメントパネル構造１０では、インストルメントパネル１２の板厚に頼ることなく、インストルメントパネル１２の表面に作用する荷重Ｆに対する所要の剛性が確保されやすい。すなわち、インストルメントパネル構造１０では、空調用ダクト１４（単位ダクト形成部材３０）内に仕切部３６を有しない比較例と比較して、インストルメントパネル１２における空調用ダクト１４の形成部位の剛性が向上される。
【００３３】
さらに、上の通りインストルメントパネル１２における空調用ダクト１４の形成部位の剛性が確保されるので、インストルメントパネル１２を薄肉化しつつ該インストルメントパネル１２の所要の剛性を確保することができる。これにより、インストルメントパネル構造１０では、より一層の軽量化を図ることができる。
【００３４】
しかも、仕切部３６が樹脂フィルムの真空成形品であるダクト部材１６側に一体に形成されているので、仕切部３６自体を所要の剛性を持たせつつ軽量に構成することができ、さらにより一層の軽量化に寄与する。また、インストルメントパネル構造１０では、インストルメントパネル１２が仕切部を構成する突出部を有しないので、射出成形品であるインストルメントパネル１２にひけの原因となる厚肉部を形成することなく、上記の各効果を得ることができる。
【００３５】
またここで、インストルメントパネル構造１０では、各センタダクト２４、サイドダクト２６、デフダクト２８の長手方向に沿って仕切部３６が形成されているため、空調空気の流れが整流される。例えば、インストルメントパネル１２を裏面１２Ａ側から補強する補強部を空調用ダクト１４の長手方向に断続的に設けた比較例では、空調空気の流れに伴って補強部の下流側に渦が形成されてしまい、空気流の乱れの原因となるが、インストルメントパネル構造１０では、仕切部３６が空調用ダクト１４の長手方向に連続して形成されているので、空調空気の流れに乱れが生じにくい。なお、デフダクト２８では、空調空気が車両上向きに流れ、仕切部３６が断続的に形成されても空気流の乱れが生じにくいので、仕切部３６が断続的に形成されても良い。
【００３６】
特に、空調用ダクト１４のうち車幅方向端部で湾曲されているサイドダクト２６においては、空調空気の流れがコーナ部２６Ａの外周側に偏る偏流が生じやすいが、仕切部３６を備えたインストルメントパネル構造１０では、この偏流が仕切部３６によって効果的に抑制される。すなわち、空調空気の流れがコーナ部において良好に整流される。
【００３７】
次に、本発明の他の実施形態を説明する。なお、上記第１の実施形態又は前出の構成と基本的に同一の部品・部分については、上記第１の実施形態又は前出の構成と同一の符号を付して説明を省略する。
【００３８】
（第２の実施形態）
図３には、本発明の第２の実施形態に係るインストルメントパネル構造４０が、図１に対応する側断面図にて示されている。この図に示される如く、インストルメントパネル構造４０は、ダクト部材１６に一体に形成された仕切部３６に代えて、インストルメントパネル１２に一体に形成された仕切部４２を備える点で、インストルメントパネル構造１０とは異なる。
【００３９】
仕切部４２は、インストルメントパネル１２の裏面１２Ａから各ダクト形成部３２の底部３２Ａ向けて突出されると共に、その突出端４２Ａが底部３２Ａに振動溶着等にて接合されることで、各空調用ダクト１４（センタダクト２４、サイドダクト２６、デフダクト２８）を長手方向に直交するダクト幅方向に並ぶ複数（この実施形態では２つ）の部分に区画（分割）している。インストルメントパネル構造４０における他の構成は、図示しない部分を含めインストルメントパネル構造１０の対応する構成と同じである。
【００４０】
したがって、第２の実施形態に係るインストルメントパネル構造４０によっても、仕切部３６がダクト部材１６側に一体に形成されたことによる作用効果を除いて、基本的に第１の実施形態に係るインストルメントパネル構造１０と同様の作用によって同様の効果を得ることができる。
【００４１】
（第３の実施形態）
図４には、本発明の第３の実施形態に係るインストルメントパネル構造５０が、図１に対応する側断面図にて示されている。この図に示される如く、インストルメントパネル構造５０は、ダクト部材１６に一体に形成された部分のみから成る仕切部３６に代えて、仕切部５２がダクト部材１６に一体に形成されたダクト側仕切部５４とインストルメントパネル１２に一体に形成されたインパネ側仕切部５６とを含む点で、インストルメントパネル構造１０、４０とは異なる。
【００４２】
ダクト側仕切部５４は、ダクト形成部３２の底部３２Ａからの突出高が図１に示す仕切部３６の突出高の半分程度とされており、該仕切部３６と同様に底部３２Ａの膨出部としてダクト部材１６に一体に形成されている。インパネ側仕切部５６は、インストルメントパネル１２の裏面１２Ａからの突出高が図３に示す仕切部４２の突出高の半分程度とされており、該仕切部４２と同様にインストルメントパネル１２に一体に形成されている。
【００４３】
そして、インストルメントパネル構造５０では、ダクト側仕切部５４の突出端５４Ａとインパネ側仕切部５６の突出端５６Ａとが振動溶接等によって互いに接合されている。インストルメントパネル構造５０における他の構成は、図示しない部分を含め、インストルメントパネル構造１０における対応する構成と同様である。
【００４４】
したがって、第３の実施形態に係るインストルメントパネル構造５０によっても、インストルメントパネル１２に厚肉部が形成されないことによる作用効果を除いて、基本的に第１の実施形態に係るインストルメントパネル構造１０と同様の作用によって同様の効果を得ることができる。
【００４５】
（第４の実施形態）
図５には、本発明の第４の実施形態に係るインストルメントパネル構造６０が、側断面図にて示されている。この図に示される如く、インストルメントパネル構造６０は、空調用ダクト１４が単一の仕切部３６にて長手方向に直交するダクト幅方向に並ぶ２つの部分に区画された構成に代えて、空調用ダクト１４が複数の仕切部３６にて長手方向に直交するダクト幅方向に並ぶ３つ以上の部分に区画された構成とされている点で、インストルメントパネル構造１０とは異なる。
【００４６】
すなわち、インストルメントパネル構造６０を構成するダクト部材１６は、複数の仕切部３６を有し、これら複数の仕切部３６のそれぞれがインストルメントパネル１２の裏面１２Ａに接合されている。インストルメントパネル構造６０における他の構成は、図示しない部分を含め、インストルメントパネル構造１０における対応する構成と同様である。
【００４７】
したがって、第４の実施形態に係るインストルメントパネル構造６０によっても、基本的に第１の実施形態に係るインストルメントパネル構造１０と同様の作用によって同様の効果を得ることができる。また、インストルメントパネル構造６０では、複数の仕切部３６よってインストルメントパネル１２を裏面１２Ａ側から補強するので、インストルメントパネル１２の剛性向上効果（剛性を確保しつつの薄肉化）が図られる。
【００４８】
なお、第４の実施形態では、空調用ダクト１４における複数の仕切部３６にて３つ以上に区画された空間の一部には、空調空気が流れない構成としても良い。また、複数の仕切部３６に代えて、複数の仕切部４２（図３）や複数の仕切部５２（図４）によって空調用ダクト１４を３つ以上の部分に区画しても良く、仕切部３６、仕切部４２、仕切部５２の少なくとも一部の組み合わせによって空調用ダクト１４を３つ以上の部分に区画しても良い。
【００４９】
（第５の実施形態）
図６には、発明の第５の実施形態に係るインストルメントパネル構造７０が、側断面図にて示されている。この図に示される如く、インストルメントパネル構造７０は、ダクト部材１６に代えて、補強用波形板７２が裏面１２Ａに接合されて空調用ダクト１４が形成されている点で、インストルメントパネル構造１０とは異なる。
【００５０】
補強用波形板７２は、図７に示される如く、長手方向（図７の矢印Ｌ参照）と直交する断面が長手方向の各部において同じ波形に形成された板材であり、この実施形態では、樹脂製の既成形品（規格品又は汎用品）とされている。図６に示される如く、補強用波形板７２は、インストルメントパネル１２の裏面１２Ａ側の複数の頂部７２Ｐにおいて、該インストルメントパネル１２の裏面１２Ａに振動溶着等にて接合されている。これにより、インストルメントパネル構造７０では、インストルメントパネル１２と補強用波形板７２との間に長手方向と直交するダクト幅方向に並ぶ複数の部分に分割されたダクト７４が形成されている。
【００５１】
インストルメントパネル構造７０では、このダクト７４の一部又は全部が空調空気が流れる空調用ダクト１４（の少なくとも一部）として用いられるようになっている。したがって、インストルメントパネル構造７０においては、補強用波形板７２におけるインストルメントパネル１２の裏面１２Ａ側に凸となる部分７２Ａ（頂部７２Ｐを含む略半周期分）が本発明における仕切部に相当する。
【００５２】
なお、図示は省略するが、インストルメントパネル構造７０においては、ダクト７４とエアコンユニットとの連通部材、ダクト７４とセンタレジスタ１８、サイドレジスタ２０、デフロスタ２２等の吹き出し口との連通部材が設けられている。インストルメントパネル構造７０における他の構成は、図示しない部分を含め、インストルメントパネル構造１０における対応する構成と同様である。
【００５３】
したがって、第５の実施形態に係るインストルメントパネル構造７０によっても、ダクト部材１６、仕切部３６が樹脂フィルムの真空成形にて形成されていることによる作用効果を除いて、基本的に第１の実施形態に係るインストルメントパネル構造１０と同様の作用によって同様の効果を得ることができる。
【００５４】
なお、上記した各実施形態では、インストルメントパネル１２とダクト部材１６又は補強用波形板７２との間に形成されたセンタダクト２４、サイドダクト２６、デフダクト２８のそれぞれに仕切部３６、４２、５２、７２Ａが設けられた例を示したが、本発明はこれに限定されず、センタダクト２４、サイドダクト２６、デフダクト２８のうち少なくとも一部に仕切部３６、４２、５２、７２Ａが設けられれば良い。
【００５５】
また、上記した各実施形態では、ダクト部材１６が真空成形品である例を示したが、本発明はこれに限定されず、例えば、ダクト部材１６が樹脂の射出成形などにて形成されたものであっても良い。
【００５６】
さらに、上記した第１〜第４実施形態では、センタダクト２４、サイドダクト２６、デフダクト２８が単一のダクト部材１６とインストルメントパネル１２とで形成される例を示したが、本発明はこれに限定されず、例えば、センタダクト２４、サイドダクト２６、デフダクト２８を含むダクトの少なくとも一部が独立したダクト部材（個別に形成された単位ダクト形成部材３０）とインストルメントパネル１２とで形成された構成としても良い。
【符号の説明】
【００５７】
１０    インストルメントパネル構造
１２    インストルメントパネル
１４    空調用ダクト（ダクト）
１６    ダクト部材
１８    センタレジスタ（特定の吹き出し口）
２０    サイドレジスタ（特定の吹き出し口）
２２    デフロスタ（特定の吹き出し口）
２４    センタダクト（ダクト）
２６    サイドダクト（ダクト）
２８    デフダクト（ダクト）
３０    単位ダクト形成部材（ダクト部材）
３６    仕切部
４０・５０・６０・７０    インストルメントパネル構造
４２・５２    仕切部
７２    補強用波形板（波形板）
７４    ダクト（ダクト）
【図１】
2011093499.tif 000003
【図２】
2011093499.tif 000004
【図３】
2011093499.tif 000005
【図４】
2011093499.tif 000006
【図５】
2011093499.tif 000007
【図６】
2011093499.tif 000008
【図７】
2011093499.tif 000009